(57)【特許請求の範囲】
【請求項１】
ワイヤレスデバイスによるワイヤレス通信のための方法であって、
基地局に送信されることになるデータのペイロードを取得するとことと、
少なくとも１つのアップリンク制御チャネルと伝送時間間隔（ＴＴＩ）の数とを選択することと、
前記数のＴＴＩにわたって前記少なくとも１つのアップリンク制御チャネルにおいて前記データのペイロードを伝達することと
を備え、ここで前記データのペイロードの異なる部分が異なるＴＴＩにおいて伝達され、
前記少なくとも１つのアップリンク制御チャネルが、物理アップリンク制御チャネル（ＰＵＣＣＨ）を備える、方法。
【請求項２】
前記数のＴＴＩにわたって前記データのペイロードを伝達するための開始サブフレームを決定することをさらに備える、請求項１に記載の方法。
【請求項３】
前記ワイヤレスデバイスが、前記基地局からのランダムアクセスチャネル（ＲＡＣＨ）応答メッセージを受信することに基づいて、所与のＴＴＩにおいて前記ＰＵＣＣＨを送信すべきか否かを決定することをさらに備える、請求項２に記載の方法。
【請求項４】
前記少なくとも１つのアップリンク制御チャネルが、ランダムアクセスチャネル（ＲＡＣＨ）を備え、ここで情報の異なるビットが、異なる時間リソース、異なる周波数リソース、または異なるコード、のうちの少なくとも１つの使用によって伝達される、請求項１に記載の方法。
【請求項５】
前記伝達することは、他のワイヤレスデバイスからの送信が多重化されないリソースブロック（ＲＢ）を使用することを備える、請求項１に記載の方法。
【請求項６】
基地局によるワイヤレス通信のための方法であって、
ワイヤレスデバイスからデータのペイロードを受信することと、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理することと
を備え、
前記少なくとも１つのアップリンク制御チャネルが、物理アップリンク制御チャネル（ＰＵＣＣＨ）を備える、方法。
【請求項７】
異なるアップリンク制御チャネルフォーマットが、各ＴＴＩにおいて異なる数のビットを送信する、請求項６に記載の方法。
【請求項８】
前記少なくとも１つのアップリンク制御チャネルのタイプが、同じアップリンク制御チャネル上で多重化されるワイヤレスデバイスの数に基づいて選択される、請求項７に記載の方法。
【請求項９】
伝達された前記データのペイロードが、決定された開始サブフレームにおいて開始する、請求項６に記載の方法。
【請求項１０】
前記少なくとも１つのアップリンク制御チャネルが、ランダムアクセスチャネル（ＲＡＣＨ）を備え、ここで、情報の異なるビットが、異なる時間リソース、異なる周波数リソース、または異なるコード、のうちの少なくとも１つの使用によって伝達される、請求項６に記載の方法。
【請求項１１】
ワイヤレスデバイスによるワイヤレス通信のための装置であって、
基地局に送信されることになるデータのペイロードを取得するための手段と、
少なくとも１つのアップリンク制御チャネルと伝送時間間隔（ＴＴＩ）の数とを選択するための手段と、
前記数のＴＴＩにわたって前記少なくとも１つのアップリンク制御チャネルにおいて前記データのペイロードを伝達するための手段と
を備え、前記データのペイロードの異なる部分が異なるＴＴＩにおいて伝達され、
前記少なくとも１つのアップリンク制御チャネルが、物理アップリンク制御チャネル（ＰＵＣＣＨ）を備える、装置。
【請求項１２】
基地局によるワイヤレス通信のための装置であって、
ワイヤレスデバイスからデータのペイロードを受信するための手段と、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理するための手段と
を備え、
前記少なくとも１つのアップリンク制御チャネルが、物理アップリンク制御チャネル（ＰＵＣＣＨ）を備える、装置。
【請求項１３】
コンピュータプログラムであって、請求項１乃至５に記載の方法のいずれかを実行するための命令を備える、コンピュータプログラム。
【請求項１４】
コンピュータプログラムであって、請求項６乃至１０に記載の方法のいずれかを実行するための命令を備える、コンピュータプログラム。
【発明の詳細な説明】
【米国特許法第１１９条に基づく優先権の主張】
【０００１】
[0001]  本願は、その全体において参照によって本明細書に組み込まれる、２０１２年１０月３０日に出願された米国仮特許出願番号第６１／７２０，３６１号の利益を主張する。
【技術分野】
【０００２】
[0002]  本開示のある特定の態様は、概して、ワイヤレス通信に関し、より具体的には、複数の拡張された伝送時間間隔（ＴＴＩ：transmission time interval）にわたって、バンドルされたアップリンク制御チャネルにおいてデータのペイロードを伝達するための技法に関する。
【背景技術】
【０００３】
[0003]  ワイヤレス通信システムは、音声、データ、等のような様々なタイプの通信コンテンツを提供するために広く展開されている。これらのシステムは、利用可能なシステムリソース（例えば、帯域幅および送信電力）を共有することによって複数のユーザとの通信をサポートすることが可能である多元接続システムであり得る。このような多元接続システムの例は、コード分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）／ＬＴＥ−Ａｄｖａｎｃｅｄシステム、および、直交周波数分割多元接続（ＯＦＤＭＡ）システムを含む。
【０００４】
[0004]  概して、ワイヤレス多元接続通信システムは、複数のワイヤレス端末のための通信を同時にサポートすることができる。各端末は、順方向および逆方向リンク上の伝送によって１つまたは複数の基地局と通信する。順方向リンク（または、ダウンリンク）は、基地局から端末までの通信リンクを指し、逆方向リンク（または、アップリンク）は、端末から基地局までの通信リンクを指す。この通信リンクは、単一入力単一出力、多入力単一出力、または多入力多出力（ＭＩＭＯ）システムによって確立され得る。
【０００５】
[0005]  ワイヤレス通信ネットワークは、多くのワイヤレスデバイスのための通信をサポートすることができる多くの基地局を含み得る。ワイヤレスデバイスは、ユーザ機器（ＵＥ）および遠隔デバイスを備える。ＵＥは、人間による直接制御の下で動作するデバイスである。ＵＥのいくつかの例は、セルラフォン、スマートフォン、携帯情報端末（ＰＤＡ）、ワイヤレスモデム、ハンドヘルドデバイス、タブレット、ラップトップコンピュータ、ネットブック、スマートブック、ウルトラブック、等を含む。遠隔デバイスは、人間によって直接制御されることなく動作するデバイスである。遠隔デバイスのいくつかの例は、センサ、メータ、ロケーションタグ、等を含む。遠隔デバイスは、基地局、別の遠隔デバイス、または他の何らかのエンティティと通信し得る。マシン型通信（ＭＴＣ：Machine type communication）は、通信の少なくとも一端に少なくとも１つの遠隔デバイスを含む通信を指す。
【発明の概要】
【０００６】
[0006]  本開示のある特定の態様は、ワイヤレスデバイスによるワイヤレス通信のための方法を提供する。その方法は、概して、基地局に送信されることになるデータのペイロードを取得することと、少なくとも１つのアップリンク制御チャネルと伝送時間間隔（ＴＴＩ）の数とを選択することと、その数のＴＴＩにわたって少なくとも１つのアップリンク制御チャネルにおいてデータを伝達することと、を含み、そのデータの異なる部分が異なるＴＴＩにおいて伝達される。
【０００７】
[0007]  本開示のある特定の態様は、基地局によるワイヤレス通信のための方法を提供する。その方法は、概して、ある数の伝送時間間隔（ＴＴＩ）にわたって少なくとも１つのアップリンク制御チャネルにおいて受信されるデータのペイロードをワイヤレスデバイスから受信することと、ここにおいて、そのデータのペイロードの異なる部分が、異なるＴＴＩにおいて伝達される、そのデータのペイロードをアセンブルするために、異なるＴＴＩにわたって受信された少なくとも１つのアップリンク制御チャネルの複数の伝送を処理することと、を含む。
【０００８】
[0008]  本開示のある特定の態様は、ワイヤレスデバイスによるワイヤレス通信のための装置を提供する。その装置は、概して、基地局に送信されることになるデータのペイロードを取得するための手段と、少なくとも１つのアップリンク制御チャネルと伝送時間間隔（ＴＴＩ）の数とを選択するための手段と、その数のＴＴＩにわたって少なくとも１つのアップリンク制御チャネルにおいてデータのペイロードを伝達するための手段と、を含み、そのデータのペイロードの異なる部分が異なるＴＴＩにおいて伝達される。
【０００９】
[0009]  本開示のある特定の態様は、基地局によるワイヤレス通信のための装置を提供する。その装置は、概して、ある数の伝送時間間隔（ＴＴＩ）にわたって少なくとも１つのアップリンク制御チャネルにおいて受信されるデータのペイロードをワイヤレスデバイスから受信するための手段と、ここにおいて、そのデータのペイロードの異なる部分が、異なるＴＴＩにおいて伝達される、そのデータのペイロードをアセンブルするために、異なるＴＴＩにわたって受信された少なくとも１つのアップリンク制御チャネルの複数の伝送を処理するための手段と、を含む。
【００１０】
[0010]  本開示のある特定の態様は、ワイヤレスデバイスによるワイヤレス通信のための装置を提供する。その装置は、概して、基地局に送信されることになるデータのペイロードを取得し、少なくとも１つのアップリンク制御チャネルと伝送時間間隔（ＴＴＩ）の数とを選択し、その数のＴＴＩにわたって少なくとも１つのアップリンク制御チャネルにおいてデータのペイロードを伝達する、ように構成された少なくとも１つのプロセッサを含み、そのデータのペイロードの異なる部分が異なるＴＴＩにおいて伝達される。
【００１１】
[0011]  本開示のある特定の態様は、基地局によるワイヤレス通信のための装置を提供する。その装置は、概して、ある数の伝送時間間隔（ＴＴＩ）にわたって少なくとも１つのアップリンク制御チャネルにおいて受信されるデータのペイロードをワイヤレスデバイスから受信し、ここにおいて、そのデータのペイロードの異なる部分が、異なるＴＴＩにおいて伝達される、そのデータのペイロードをアセンブルするために、異なるＴＴＩにわたって受信された少なくとも１つのアップリンク制御チャネルの複数の伝送を処理する、ように構成された少なくとも１つのプロセッサを含む。
【００１２】
[0012]  本開示のある特定の態様は、ワイヤレス通信のためのコンピュータ可読媒体を提供する。そのコンピュータ可読媒体は、概して、基地局に送信されることになるデータのペイロードを取得するコードと、少なくとも１つのアップリンク制御チャネルと伝送時間間隔（ＴＴＩ）の数とを選択するコードと、その数のＴＴＩにわたって少なくとも１つのアップリンク制御チャネルにおいてデータのペイロードを伝達するコードと、を含み、そのデータのペイロードの異なる部分が異なるＴＴＩにおいて伝達される。
【００１３】
[0013]  本開示のある特定の態様は、ワイヤレス通信のためのコンピュータ可読媒体を提供する。そのコンピュータ可読媒体は、概して、ある数の伝送時間間隔（ＴＴＩ）にわたって少なくとも１つのアップリンク制御チャネルにおいて受信されるデータのペイロードをワイヤレスデバイスから受信するコードと、ここにおいて、そのデータのペイロードの異なる部分が、異なるＴＴＩにおいて伝達される、そのデータのペイロードをアセンブルするために、異なるＴＴＩにわたって受信された少なくとも１つのアップリンク制御チャネルの複数の伝送を処理するコードと、を含む。
【００１４】
[0014]  方法、装置、システム、コンピュータプログラム製品、コンピュータ可読媒体、および処理システムを含む多数の他の態様が提供される。
【図面の簡単な説明】
【００１５】
【図１】[0015]  本開示のある特定の態様にしたがった、ワイヤレス通信ネットワークの一例を概念的に例示するブロック図。
【図２】[0016]  本開示のある特定の態様にしたがった、ワイヤレス通信ネットワークにおいてユーザ機器（ＵＥ）と通信している基地局の一例を概念的に例示するブロック図。
【図３】[0017]  本開示のある特定の態様にしたがった、ワイヤレス通信ネットワークにおけるフレーム構造の一例を概念的に例示するブロック図。
【図４】[0018]  通常のサイクリックプレフィックス（normal cyclic prefix）を有する２つの実例的なサブフレームフォーマットを概念的に例示するブロック図。
【図５】[0019]  本開示のある特定の態様にしたがった、ワイヤレスデバイスによって実行され得るエンハンスされたアップリンクカバレッジのための実例的な動作を例示する図。
【図６】[0020]  本開示のある特定の態様にしたがった、基地局によって実行され得るエンハンスされたアップリンクカバレッジのための実例的な動作を例示する図。
【詳細な説明】
【００１６】
[0021]  本開示の態様は、複数の伝送時間間隔（ＴＴＩ）にわたって、バンドルされたアップリンク制御チャネルにおいてデータを伝達することによってアップリンクカバレッジをエンハンスするための技法を提供する。例えば、既存の物理アップリンク制御チャネル（ＰＵＣＣＨ：physical uplink control channel）または物理ランダムアクセスチャネル（ＰＲＡＣＨ：physical random access channel）は、フォーマットに依存して、多くのビットを各々搬送し、集約され得る。使用される特定のチャネルフォーマットおよびＴＴＩの数は、様々なファクタに基づいて決定され得る。
【００１７】
[0022]本明細書で説明される技法は、ＣＤＭＡ、ＴＤＭＡ、ＦＤＭＡ、ＯＦＤＭＡ、ＳＣ−ＦＤＭＡ、および他のネットワークのような、様々なワイヤレス通信ネットワークに使用され得る。「ネットワーク」および「システム」という用語は、交換可能に使用されることが多い。ＣＤＭＡネットワークは、ユニバーサル地上無線アクセス（ＵＴＲＡ）、ｃｄｍａ２０００、等のような無線技術をインプリメントし得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形物を含む。ｃｄｍａ２０００は、ＩＳ−２０００、ＩＳ−９５、およびＩＳ−８５６規格をカバーする。ＴＤＭＡネットワークは、移動通信のためのグローバルシステム（ＧＳＭ（登録商標））のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ  ８０２．２０、Ｆｌａｓｈ−ＯＦＤＭ（登録商標）、等のような無線技術をインプリメントし得る。ＵＴＲＡおよびＥ−ＵＴＲＡは、ユニバーサルモバイルテレコミュニケーションシステム（ＵＭＴＳ）の一部である。周波数分割複信（ＦＤＤ）および時分割複信（ＴＤＤ）の両方において、３ＧＰＰロングタームエボリューション（ＬＴＥ）およびＬＴＥ−Ａｄｖａｎｃｅｄ（ＬＴＥ−Ａ）は、ダウンリンク上ではＯＦＤＭＡを、アップリンク上ではＳＣ−ＦＤＭＡを用いる、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称される団体からの文書に説明されている。ｃｄｍａ２０００およびＵＭＢは、「第３世代パートナーシッププロジェクト２」（３ＧＰＰ２）と称される団体からの文書に説明されている。本明細書に説明される技法は、他のワイヤレスネットワークおよび無線技術と同様に、上述されたワイヤレスネットワークおよび無線技術に使用され得る。明瞭さのために、本技法のある特定の態様は、ＬＴＥ／ＬＴＥ−Ａｄｖａｎｃｅｄについて以下に説明され、ＬＴＥ／ＬＴＥ−Ａｄｖａｎｃｅｄ用語が以下の説明の大部分で使用される。
【００１８】
[0023]  図１は、ＬＴＥネットワークまたは他の何らかのワイヤレスネットワークであり得るワイヤレス通信ネットワーク１００を示す。ワイヤレスネットワーク１００は、多数の発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイント、等とも呼ばれ得る。各ｅＮＢは、特定の地理的エリアのための通信カバレッジを提供し得る。３ＧＰＰにおいて、「セル」という用語は、この用語が使用される文脈に依存して、ｅＮＢのカバレッジエリア、および／または、そのカバレッジエリアにサービス提供するｅＮＢサブシステムを指すことができる。
【００１９】
[0024]  ｅＮＢは、マクロセル、ピコセル、フェムトセル、および／または他のタイプのセルのための通信カバレッジを提供し得る。マクロセルは、比較的広い地理的エリア（例えば、半径数キロメートル）をカバーし、サービスに加入しているＵＥによる無制限アクセスを可能にし得る。ピコセルは、比較的狭い地理的エリアをカバーし、サービスに加入しているＵＥによる無制限アクセスを可能にし得る。フェムトセルは、比較的狭い地理的エリア（例えば、自宅）をカバーし、そのフェムトセルとのアソシエーションを有するＵＥ（例えば、限定加入者グループ（ＣＳＧ）のＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例において、ｅＮＢ１１０ａは、マクロセル１０２ａのためのマクロｅＮＢであり、ｅＮＢ１１０ｂは、ピコセル１０２ｂのためのピコｅＮＢであり、ｅＮＢ１１０ｃは、フェムトセル１０２ｃのためのフェムトｅＮＢであり得る。ｅＮＢは、１つまたは複数（例えば、３つ）のセルをサポートし得る。「ｅＮＢ」、「基地局」、および「セル」という用語は、本明細書では交換可能に使用され得る。
【００２０】
[0025]  ワイヤレスネットワーク１００は、中継局もまた含み得る。中継局は、アップストリーム局（例えば、ｅＮＢまたはＵＥ）からのデータの伝送を受信し、ダウンストリーム局（例えば、ＵＥまたはｅＮＢ）へのデータの伝送を送ることができるエンティティである。中継局は、また、他のＵＥに対する伝送を中継することができるＵＥであり得る。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信し得る。中継局は、中継ｅＮＢ、中継基地局、中継器、等とも呼ばれ得る。
【００２１】
[0026]  ワイヤレスネットワーク１００は、例えば、マクロｅＮＢ、ピコｅＮＢ、フェムトｅＮＢ、中継ｅＮＢ、等のような、異なるタイプのｅＮＢを含む異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢは、高い送信電力レベル（例えば、５〜４０ワット）を有し得るのに対して、ピコｅＮＢ、フェムトｅＮＢ、および中継ｅＮＢは、より低い送信電力レベル（例えば、０．１〜２ワット）を有し得る。
【００２２】
[0027]  ネットワークコントローラ１３０は、ｅＮＢのセットに結合し、これらｅＮＢに協調および制御を提供し得る。ネットワークコントローラ１３０は、バックホールを介してｅＮＢと通信し得る。ｅＮＢは、また、例えば、ワイヤレスまたはワイヤラインバックホールを介して直接的または間接的に互いに通信し得る。
【００２３】
[0028]  ＵＥ１２０（例えば、１２０ａ、１２０ｂ、１２０ｃ）はワイヤレスネットワーク１００全体に分散され、各ＵＥは固定またはモバイルであり得る。ＵＥは、アクセス端末、端末、モバイル局、加入者ユニット、局、等とも呼ばれ得る。ＵＥは、セルラフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブック、等であり得る。図１において、両方向矢印付きの実線は、ＵＥと、ダウンリンクおよび／またはアップリンク上でそのＵＥにサービス提供するように指定されたｅＮＢであるサービングｅＮＢとの間の所望の伝送を示す。両方向矢印付きの点線は、ＵＥとｅＮＢとの間の潜在的に干渉している伝送を示す。
【００２４】
[0029]  図２は、図１における複数の基地局／ｅＮＢのうちの１つと複数のＵＥのうちの１つとであり得る、基地局／ｅＮＢ１１０およびＵＥ１２０の設計のブロック図を示す。基地局１１０は、Ｔ本のアンテナ２３４ａ〜２３４ｔが装備され、ＵＥ１２０はＲ本のアンテナ２５２ａ〜２５２ｒが装備され、ここで、一般に、Ｔ≧１およびＲ≧１であり得る。
【００２５】
[0030]  基地局１１０において、送信プロセッサ２２０は、１つまたは複数のＵＥのためのデータソース２１２からデータを受信し、ＵＥから受信されたＣＱＩに基づいて各ＵＥのために１つまたは複数の変調およびコーディング方式（ＭＣＳ）を選択し、ＵＥのために選択された（１つまたは複数の）ＭＣＳに基づいて各ＵＥのためのデータを処理（例えば、符号化および変調）し、すべてのＵＥにデータシンボルを提供し得る。送信プロセッサ２２０は、また、（例えば、ＳＲＰＩ、等についての）システム情報と制御情報（例えば、ＣＱＩ要求、許可、上位レイヤのシグナリング、等）とを処理し、オーバーヘッドシンボルおよび制御シンボルを提供し得る。プロセッサ２２０は、また、基準信号（例えば、ＣＲＳ）および同期信号（例えば、ＰＳＳおよびＳＳＳ）のための基準シンボルを生成し得る。送信（ＴＸ）多入力多出力（ＭＩＭＯ）プロセッサ２３０は、適用可能な場合に、データシンボル、制御シンボル、オーバーヘッドシンボル、および／または基準シンボルに対して空間処理（例えば、プリコーディング）を実行し、Ｔ個の変調器（ＭＯＤ）２３２ａ〜２３２ｔにＴ個の出力シンボルストリームを提供し得る。各変調器２３２は、（例えば、ＯＦＤＭ、等のための）それぞれの出力シンボルストリームを処理して、出力サンプルストリームを取得し得る。各変調器２３２は、その出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、Ｔ本のアンテナ２３４ａ〜２３４ｔを介して、それぞれ送信され得る。
【００２６】
[0031]  ＵＥ１２０において、アンテナ２５２ａ〜２５２ｒは、基地局１１０および／または他の基地局からのダウンリンク信号を受信し、受信された信号を復調器（ＤＥＭＯＤ）２５４ａ〜２５４ｒにそれぞれ提供し得る。各復調器２５４は、その受信された信号を調整（例えば、フィルタリング、増幅、ダウンコンバート、およびデジタル化）して、入力サンプルを取得し得る。各復調器２５４は、（例えば、ＯＦＤＭ、等のために）入力サンプルをさらに処理して、受信されたシンボルを取得し得る。ＭＩＭＯ検出器２５６は、Ｒ個のすべての復調器２５４ａ〜２５４ｒからの受信されたシンボルを取得し、適用可能な場合に、受信されたシンボル上でＭＩＭＯ検出を実行し、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、ＲＳＲＰ、ＲＳＳＩ、ＲＳＲＱ、ＣＱＩ、等を決定し得る。
【００２７】
[0032]  アップリンク上において、ＵＥ１２０では、送信プロセッサ２６４が、データソース２６２からのデータと、コントローラ／プロセッサ２８０からの（例えば、ＲＳＲＰ、ＲＳＳＩ、ＲＳＲＱ、ＣＱＩ、等を備える報告のための）制御情報とを受信して、処理し得る。プロセッサ２６４は、また、１つまたは複数の基準信号のための基準シンボルを生成し得る。送信プロセッサ２６４からのシンボルは、適用可能な場合にＴＸ  ＭＩＭＯプロセッサ２６６によってプリコーディングされ、（例えば、ＳＣ−ＦＤＭ、ＯＦＤＭ、等のために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合にＭＩＭＯ検出器２３６によって検出され、受信プロセッサ２３８によってさらに処理されて、ＵＥ１２０によって送られた復号されたデータおよび制御情報を取得し得る。プロセッサ２３８は、復号されたデータをデータシンク２３９に、復号された制御情報をコントローラ／プロセッサ２４０に、提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００２８】
[0033]  コントローラ／プロセッサ２４０および２８０は、基地局１１０およびＵＥ１２０における動作をそれぞれ指示し得る。プロセッサ２４０および／または基地局１１０における他のプロセッサならびにモジュール、および／またはプロセッサ２８０および／またはＵＥ１２０における他のプロセッサならびにモジュールは、本明細書に説明される技法のためのプロセスを実行または指示し得る。メモリ２４２および２８２は、基地局１１０およびＵＥ１２０のためのデータおよびプログラムコードをそれぞれ記憶し得る。スケジューラ２４６は、ダウンリンクおよび／またはアップリンク上でのデータ伝送のためにＵＥをスケジューリングし得る。
【００２９】
[0034]  ＵＥ１２０にデータを送信するときに、基地局１１０は、データ割り振りサイズに少なくとも部分的に基づいてバンドリングサイズを決定し、その決定されたバンドリングサイズのバンドルされた連続リソースブロックにおいてデータをプリコーディングするように構成され、ここにおいて、各バンドルにおけるリソースブロックは、共通プリコーディング行列でプリコーディングされ得る。すなわち、リソースブロックにおけるデータおよび／またはＵＥ−ＲＳのような基準信号は、同一のプリコーダを使用してプリコーディングされ得る。バンドルされたＲＢ（リソースブロック）の各ＲＢにおけるＵＥ−ＲＳに使用される電力レベルもまた同様であり得る。
【００３０】
[0035]  ＵＥ１２０は、相補処理（complementary processing）を実行して、基地局１１０から送信されたデータを復号するように構成され得る。例えば、ＵＥ１２０は、連続リソースブロック（ＲＢ：resource block）のバンドルにおいて基地局から送信された受信データのデータ割り振りサイズに基づいてバンドリングサイズを決定し、ここにおいて、各バンドルでのリソースブロックにおける少なくとも１つの基準信号は共通プリコーディング行列でプリコーディングされ、基地局から送信された１つまたは複数の基準信号（ＲＳ：reference signal）および決定されたバンドリングサイズに基づいて少なくとも１つのプリコーディングされたチャネルを推定し、その推定されたプリコーディングされたチャネルを使用して、受信されたバンドルを復号するように構成され得る。
【００３１】
[0036]  図３は、ＬＴＥにおけるＦＤＤのための実例的なフレーム構造３００を示す。ダウンリンクおよびアップリンクの各々のための送信タイムラインは、無線フレームの単位に分割され得る。各無線フレームは、所定の持続時間（例えば、１０ミリ秒（ｍｓ））を有することができ、０〜９のインデックスを持つ１０個のサブフレームに分割され得る。各サブフレームは、２つのスロットを含み得る。したがって、各無線フレームは、０〜１９のインデックスを有する２０個のスロットを含み得る。各スロットは、例えば、（図３に示されるような）通常のサイクリックプレフィックスのための７つのシンボル期間、または拡張されたサイクリックプレフィックスのための６つのシンボル期間といった、Ｌ個のシンボル期間を含み得る。各サブフレームにおける２Ｌ個のシンボル期間は、０〜２Ｌ−１のインデックスが割り当てられ得る。
【００３２】
[0037]  ＬＴＥにおいて、ｅＮＢは、このｅＮＢによってサポートされる各セルのためのシステム帯域幅の中心１．０８ＭＨｚのダウンリンク上で一次同期信号（ＰＳＳ）および二次同期信号（ＳＳＳ）を送信し得る。図３に示されるように、ＰＳＳおよびＳＳＳは、通常のサイクリックプレフィックスを有する各無線フレームのサブフレーム０および５におけるシンボル期間６および５においてそれぞれ送信され得る。ＰＳＳおよびＳＳＳは、セルの探索および捕捉のためにＵＥによって使用され得る。ｅＮＢは、このｅＮＢによってサポートされる各セルのためのシステム帯域幅にわたってセル固有の基準信号（ＣＲＳ：cell-specific reference signal）を送信し得る。ＣＲＳは、各サブフレームのある特定のシンボル期間において送信され、チャネル推定、チャネル品質測定、および／または他の機能を実行するためにＵＥによって使用され得る。ｅＮＢは、また、ある特定の無線フレームのスロット１におけるシンボル期間０〜３において物理ブロードキャストチャネル（ＰＢＣＨ）を送信し得る。ＰＢＣＨは、いくつかのシステム情報を搬送し得る。ｅＮＢは、ある特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの第１のＢ個のシンボル期間における物理ダウンリンク制御チャネル（ＰＤＣＣＨ）上で制御情報／データを送信し、ここで、Ｂ個は各サブフレーム用に構成可能であり得る。ｅＮＢは、各サブフレームの残りのシンボル期間におけるＰＤＳＣＨ上でトラフィックデータおよび／または他のデータを送信し得る。
【００３３】
[0038]  図４は、通常のサイクリックプレフィックスを有する２つの実例的なサブフレームフォーマット４１０および４２０を示す。利用可能な時間周波数リソースは、リソースブロックに分割され得る。各リソースブロックは、１つのスロットにおいて１２個のサブキャリアをカバーし、多くのリソースエレメントを含み得る。各リソースエレメントは、１つのシンボル期間において１つのサブキャリアをカバーし、実数値または複素数値であり得る、１つの変調シンボルを送るように使用され得る。
【００３４】
[0039]  サブフレームフォーマット４１０は、２本のアンテナに使用され得る。ＣＲＳは、シンボル期間０、４、７、および１１においてアンテナ０および１から送信され得る。基準信号は、送信機および受信機によってアプリオリ（a priori）に知られている信号であり、パイロットとも呼ばれ得る。ＣＲＳは、例えば、セル識別（ＩＤ）に基づいて生成された、セルに固有である基準信号である。図４において、ラベルＲａを有する所与のリソースエレメントについて、変調シンボルは、アンテナａからそのリソースエレメント上で送信され、いずれの変調シンボルも、そのリソースエレメント上で他のアンテナから送信されることができない。サブフレームフォーマット４２０は、４本のアンテナを用いて使用され得る。ＣＲＳは、シンボル期間０、４、７、および１１においてアンテナ０および１から、および、シンボル期間１および８においてアンテナ２および３から、送信され得る。サブフレームフォーマット４１０および４２０の両方について、ＣＲＳは、セルＩＤに基づいて決定され得る均等に間隔を空けたサブキャリア上で送信され得る。ＣＲＳは、それらのセルＩＤに依存して、同一のまたは異なるサブキャリア上で送信され得る。サブフレームフォーマット４１０および４２０の両方について、ＣＲＳに使用されないリソースエレメントは、データ（例えば、トラフィックデータ、制御データ、および／または他のデータ）を送信するために使用され得る。
【００３５】
[0040]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、公的に入手可能な３ＧＰＰ  ＴＳ３６．２１１に説明されている。
【００３６】
[0041]  インターレース構造は、ＬＴＥにおけるＦＤＤのためのダウンリンクおよびアップリンクの各々に使用され得る。例えば、０〜  のインデックスを有するＱ個のインターレースが定義されることができ、ここで、Ｑは４、６、８、１０、または他の何らかの値と等しくてもよい。各インターレースは、Ｑ個のフレームだけ間隔を空けたサブフレームを含み得る。特に、インターレースｑは、サブフレームｑ、ｑ＋Ｑ、ｑ＋２Ｑ、等を含むことができ、ここで、ｑ∈｛０，．．．，Ｑ−１｝である。
【００３７】
[0042]  ワイヤレスネットワークは、ダウンリンクおよびアップリンク上のデータ伝送のためのハイブリッド自動再送要求（ＨＡＲＱ）をサポートし得る。ＨＡＲＱでは、送信機（例えば、ｅＮＢ）は、パケットが受信機（例えば、ＵＥ）によって正しく復号されるまで、または他の何らかの終了条件が発生するまで、パケットの１つまたは複数の伝送を送り得る。同期ＨＡＲＱでは、パケットのすべての伝送が、単一のインターレースのサブフレームにおいて送られ得る。非同期ＨＡＲＱでは、パケットの各伝送が、任意のサブフレームにおいて送られ得る。
【００３８】
[0043]  １つのＵＥが、複数のｅＮＢのカバレッジ内に配置され得る。これらｅＮＢのうちの１つは、ＵＥにサービス提供するために選択され得る。サービングｅＮＢは、受信信号強度、受信信号品質、経路損失（pathloss）、等のような様々な基準に基づいて選択され得る。受信信号品質は、信号対雑音および干渉比（ＳＩＮＲ：signal-to-noise-and-interference ratio）、または基準信号受信品質（ＲＳＲＱ：reference signal received quality）、または他の何らかのメトリックによって定量化され得る。ＵＥは、ＵＥが１つまたは複数の干渉ｅＮＢからの高い干渉を観測し得る支配的な干渉シナリオにおいて動作し得る。
【００３９】
実例的なアップリンクカバレッジエンハンスメント 
[0044]  現在のロングタームエボリューション（ＬＴＥ）システムのダウンリンク（ＤＬ）およびアップリンク（ＵＬ）のリンクバジェットは、最先端のスマートフォンおよびタブレットのような、ハイエンドデバイスのカバレッジ用に設計されている。しかしながら、低コスト低レートのデバイスが同様にサポートされ得る。例えば、マシン型通信（ＭＴＣ）では、リンクバジェット要件が増加し得る。例えば、より低いデータレート（例えば、アップリンクで１０〜１００バイトのペイロード）と、より大きい許容可能な待ち時間（例えば、２秒から数分）がサポートされ得る。
【００４０】
[0045]  基地局に対するハードウェア変更をほとんどまたは全く必要としなくてもよい方法で、ＵＬカバレッジをエンハンスするための様々な技法が本明細書に提供される。例えば、アップリンクカバレッジは、アップリンクチャネルと拡張された伝送時間間隔（ＴＴＩ：transmission time interval）とをバンドルすることによってエンハンスされ得る。
【００４１】
[0046]  例えば、Ｍ個のチャネルが集約（aggregate）され得る。各チャネルはＮ個のビットを搬送し得る。したがって、Ｍ個のチャネルをバンドルすることによって、Ｍ×Ｎ個のチャネルビットが送信するために利用可能であり得る。ＴＴＩバンドリングは、（ＵＥ１２０のような）ユーザ機器から（ｅＮＢ１１０のような）基地局に、複数のＴＴＩにわたってアップリンク制御チャネルにおいてデータのペイロードを送ることによって実行され得る。データの異なる部分は、複数の異なるＴＴＩにおいて伝達され得る。
【００４２】
[0047]  ある特定の態様によると、外部コードが、次いで、コーディングおよび利得を提供するために使用され得る。外部コードは、例えば、反復コード（repetition code）、リードソロモンコード（Reed-Solomon code）、畳み込みコード（convolutional code）、テールバイティング畳み込みコード（tail-biting convolutional code）、ターボコード（turbo code）、または低密度パリティ検査（ＬＤＰＣ：low-density parity-check）コードであり得る。外部コーディングは、異なるＴＴＩにあるデータのペイロードの異なる部分の誤り保護のために使用され得る。
【００４３】
[0048]  いくつかの実施形態では、既存の物理アップリンク制御チャネル（ＰＵＣＣＨ：physical uplink control channel）および物理ランダムアクセスチャネル（ＰＲＡＣＨ：physical random access channel）１つの低コストのデバイスが集約され得る。例えば、１つのマシン型通信（ＭＴＣ：machine type communication）デバイス（例えば、比較的低いコストのＵＥ）は、バンドルされたＰＵＣＣＨおよびＰＲＡＣＨを使用してデータを伝達し得る。
【００４４】
[0049]  ある特定の態様によると、様々な制御チャネルフォーマットが複数のＴＴＩにわたって情報を伝達するために使用され得る。例えば、ＰＵＣＣＨフォーマット１ａまたは１ｂが使用され得る。ＰＵＣＣＨフォーマット１ａ／ｂは、各ＴＴＩにおいて１ビットまたは２ビットを搬送し得る。ＰＵＣＣＨフォーマット１ａ／ｂは、経路損失がより大きいＵＥに使用され得る。しかしながら、これらのフォーマットでは、各チャネル上で多重化されることができるＵＥの数が少ない。
【００４５】
[0050]  ある特定の態様によると、ＰＵＣＣＨフォーマット３が使用され得る。ＰＵＣＣＨフォーマット３は、２１／２２の肯定応答（ＡＣＫ）／否定応答（ＮＡＣＫ）（21/22 acknowledgement (ACK)/negative acknowledgment (NACK)）を搬送し得る。ＰＵＣＣＨフォーマット３は、経路損失がより小さいＵＥに使用され得る。フォーマット３では、各チャネル上で多重化されることができるＵＥの数が大きい。ある特定の態様によると、他のＰＵＣＣＨフォーマットもまた使用され得る。いくつかの実施形態では、どの物理チャネルフォーマットが使用されるかという選択が、物理チャネルのターゲット復号信号対雑音比（target decoding signal to noise ratio）（ＳＮＲ）、ＵＥのリンクバジェット（すなわち、ｄＢ要件）、または同じチャネル上で多重化されるＵＥの数に基づき得る。
【００４６】
[0051]  ある特定の態様にしたがって、ＴＴＩバンドリングサイズの選択が、ペイロードサイズ、基地局における総干渉レベル、ターゲット待ち時間（target latency）、または各ＴＴＩにおいて搬送されるビットの数に基づき得る。
【００４７】
[0052]  ある特定の態様によると、ＲＡＣＨの空間は、情報ビットを搬送するように分割され得る。いくつかの実施形態では、ＲＡＣＨの空間は、情報のビットが、異なる時間リソース、異なる周波数リソース、または異なるコードを介して伝達され得るように分割され得る。このアプローチは、非常に低いＳＮＲにおいてより少ないチャネル推定損失と非コヒーレント（non-coherent）であるという利点を有し得る。
【００４８】
[0053]  ある特定の態様によると、ＵＥは、複数のＴＴＩにわたってデータを伝達するための開始サブフレームを決定し得る。いくつかの実施形態では、バンドルされたＰＵＣＣＨのための開始サブフレームが、半静的または動的であり得る。無線リソース制御（ＲＲＣ：radio resource control）シグナリングに基づく半静的な開始フレームの構成は、遅延が懸念ではなくＵＥ固有のものであり得る場合に望ましいこともある。いくつかの実施形態では、開始サブフレームの決定は、基地局による動的スケジューリングに基づいて行われ得る。
【００４９】
[0054]  ある特定の態様によると、ＵＥは、所与のＴＴＩでＰＵＣＣＨを送信すべきかを自主的に決定し得る。代替的に、ＰＵＣＣＨ送信は、基地局からＲＡＣＨ応答メッセージを受信することに依存し得る。
【００５０】
[0055]  ある特定の態様によると、低コストのＵＥおよび普通のＵＥが、同じ物理リソースブロック（ＰＲＢ：physical resource block）ペアにおいて多重化される場合、直交性を確実にするために同じ拡散シーケンス長がＵＥによって使用されなければいけない。普通のＵＥでは、通常のＰＵＣＣＨフォーマットまたは短縮されたＰＵＣＣＨフォーマットのいずれかが構成され得る。短縮されたＰＵＣＣＨフォーマットは、過度なサウンディング基準信号（ＳＲＳ：sounding reference signal）の降下を避けるために使用され得る（そうでなければ、例えば、ＰＵＣＣＨフォーマット１ａ、１ｂ、２ａ、２ｂ、および３が、ＳＲＳ送信の降下を強要するであろう）。したがって、短縮されたＰＵＣＣＨを普通のＵＥが使用する場合、同じペアの中の低コストのＵＥもまた、直交性を確実にするために、短縮されたＰＵＣＣＨを使用し得る。
【００５１】
[0056]  ある特定の態様によると、低コストのＵＥは他の普通のＵＥが同じＰＲＢペアにあるか否かわからないこともあり、したがって、短縮されたＰＵＣＣＨフォーマットを使用する普通のＵＥがある限り、低コストのＵＥはセル固有のＳＲＳサブフレームにおける短縮されたＰＵＣＣＨフォーマットおよび他のサブフレームにおける通常のフォーマットを使用する。
【００５２】
[0057]  ある特定の態様によると、（例えば、本明細書に説明されるＴＴＩバンドリングのタイプをサポートまたは要求しなくてもよい）「普通の（regular）」ＵＥ、および低コストのＵＥは、異なるＰＲＢペアに設置され、したがって、短縮されたＰＵＣＣＨフォーマットは、低コストのＵＥがＳＲＳ送信をサポートしない場合に必要とされないこともある。
【００５３】
[0058]  ある特定の態様によると、ＰＵＣＣＨ用のリソースは、構成されたレイヤ３であり得、同じリソースがバンドルにおけるすべてのサブフレームに使用され得る。代替的に、リソースはサブフレーム依存であり得る。リソースは、（例えば、コード分割多重（ＣＤＭ：code division multiplexing）を用いる）コンテンションベースであり得る。衝突を最小限にするために、異なるＵＥのオフセットが使用され得る。いくつかの実施形態において、ＵＥは、他のワイヤレスデバイスからの送信が多重化されないリソースブロック（ＲＢ）を使用してアップリンク制御チャネルを送信し得る。
【００５４】
[0059]  ＴＴＩ内ミラーホッピング（Intra-TTI mirror hopping）は、より良好なフィルタリングを可能にするために、複数のＴＴＩにわたってデータを伝達している間はディセーブルであり得る。異なるホッピングパターンをＵＥが割り当てられたときに、周波数ドメインホッピングは、何らかの干渉ダイバーシティを提供し得る。例えば、セル内干渉ダイバーシティを提供するために、ＵＥは１つの周波数ドメインホッピングパターンを割り当てられ、異なるＵＥは異なる周波数ホッピングパターンを割り当てられ得る。
【００５５】
[0060]  （ｅＮＢ１１０のような）基地局は、複数のＴＴＩにわたってアップリンク制御チャネルにおいてＵＥから伝達されたデータを受信し、基地局はそのデータをアセンブルするためにその複数の伝送を処理し得る。
【００５６】
[0061]  ある特定の態様によると、拡張されたＴＴＩは、同じＲＢ上で新規のＴＴＩまたはレガシーＴＴＩを用いて多重化され得る。いくつかの実施形態において、複数の拡張されたＴＴＩチャネルが多重化され得る。ある特定の態様によると、レガシーＰＵＣＣＨおよびＰＲＡＣＨを用いた拡張されたＴＴＩの多重化は、Ｒｅｌ−８、９、または１０、等で行われ得る。
【００５７】
[0062]  いくつかの態様によると、各ＴＴＩは、ハードビット（hard bits）またはソフト対数尤度比（soft log-likelihood ratios）（ＬＬＲ）のいずれかで個別に復号される。チャネル推定は、より長いフィルタ定数を活用し得る（例えば、複数のＴＴＩから復調基準信号（ＤＭ−ＲＳ）をフィルタリングする）。
【００５８】
[0063]  図５は、エンハンスされたアップリンクカバレッジの実例的な動作５００を例示する。この動作は、例えば、ワイヤレスデバイス（例えば、低コストのＵＥ）によって実行され得る。
【００５９】
[0064]  動作５００は、５０２において、基地局に送信されることになるデータのペイロードを取得することによって、開始する。５０４において、（ＵＥ１２０のような）ワイヤレスデバイスは、少なくとも１つのアップリンク制御チャネルおよび伝送時間間隔（ＴＴＩ）の数を選択する。いくつかの実施形態において、ワイヤレスデバイスは、初めに、使用されることになるバンドルサイズと、データを伝達するための特定のアップリンク制御チャネルフォーマットとを決定し得る。
【００６０】
[0065]  ５０６において、ワイヤレスデバイスは、その数のＴＴＩにわたって少なくとも１つのアップリンク制御チャネルにおいてデータを伝達し、ここで、そのデータのペイロードの異なる部分は異なるＴＴＩにおいて伝達される。
【００６１】
[0066]  図６は、エンハンスされたアップリンクカバレッジの実例的な動作６００を例示する。この動作は、例えば、基地局によって実行され得る。
【００６２】
[0067]  動作６００は、６０２において、ワイヤレスデバイスからデータのペイロードを受信することによって開始し、そのデータのペイロードは、ある数の伝送時間間隔（ＴＴＩ）にわたって少なくとも１つのアップリンク制御チャネルにおいて受信され、ここで、データのペイロードの異なる部分は異なるＴＴＩにおいて伝達される。例えば、データのペイロードは、ＰＵＣＣＨまたはＲＡＣＨにおいて受信され得る。６０４において、基地局は、データのペイロードをアセンブルするために、異なるＴＴＩにわたって受信された少なくとも１つのアップリンク制御チャネルの複数の伝送を処理する。いくつかの実施形態において、基地局は、ハードビットまたはＬＬＲを使用して各ＴＴＩを復号し得る。いくつかの実施形態において、基地局は、さらに、長いフィルタ定数を使用してチャネルを推定し得る。
【００６３】
[0068]  当業者はさらに、本明細書の開示に関連して説明された様々な例示的な論理ブロック、モジュール、回路、およびアルゴリズムのステップが、ハードウェア、（ファームウェアを含む）ソフトウェア、またはその両方の組み合わせとしてインプリメントされ得ることを理解するであろう。このハードウェアおよびソフトウェアの互換性を明確に例示するために、様々な例示的なコンポーネント、ブロック、モジュール、回路、およびステップが、それらの機能性の点から上で概して説明されている。このような機能性が、ハードウェアとしてインプリメントされるか、またはソフトウェアとしてインプリメントされるかは、システム全体に課せられた特定のアプリケーションおよび設計制約に依存する。当業者は、説明された機能性を、特定の各アプリケーションのための多様な方法でインプリメントすることができるが、そのようなインプリメンテーションの判断は、本開示の範囲からの逸脱を引き起こすものとして解釈されるべきではない。
【００６４】
[0069]  本明細書の開示に関連して説明される様々な例示的な論理ブロック、モジュール、および回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）、または他のプログラム可能論理デバイス、ディスクリートゲートまたはトランジスタ論理、ディスクリートハードウェアコンポーネント、あるいは、本明細書に説明された機能を実行するよう設計されたこれらの任意の組み合わせを用いてインプリメントまたは実行され得る。汎用プロセッサはマイクロプロセッサであり得るが、代替として、このプロセッサは、任意の従来のプロセッサ、コントローラ、マイクロコントローラ、またはステートマシンであり得る。プロセッサは、また、例えば、ＤＳＰとマクロプロセッサの組み合わせ、複数のマイクロプロセッサ、ＤＳＰコアに連結した１つまたは複数のマイクロプロセッサ、または他の任意のそのような構成といった、コンピューティングデバイスの組み合わせとしてインプリメントされ得る。
【００６５】
[0070]  本明細書で使用されるように、項目のリスト「のうちの少なくとも１つ」に関するフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００６６】
[0071]  本明細書の開示に関連して説明された方法またはアルゴリズムのステップは、ハードウェアに直接的に、プロセッサによって実行されるソフトウェアモジュールに、またはこの２つの組み合わせに具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（位相変更メモリ）、レジスタ、ハードディスク、リムーバブルディスク、ＣＤ−ＲＯＭ、または当該技術分野において既知の他の任意の形態の記憶媒体に存在し得る。実例的な記憶媒体は、プロセッサが記憶媒体から情報を読み取り、および／または記憶媒体に情報を書き込むことができるように、プロセッサに結合される。代替では、記憶媒体はプロセッサと一体化され得る。プロセッサおよび記憶媒体は、ＡＳＩＣに存在し得る。ＡＳＩＣは、ユーザ端末に存在し得る。代替的に、プロセッサおよび記憶媒体は、ユーザ端末にディスクリートコンポーネントとして存在し得る。概して、図面に例示された動作がある場合、それらの動作は、同様に番号付けされた対応する対照のミーンズ・プラス・ファンクション・コンポーネントを有し得る。
【００６７】
[0072]  １つまたは複数の実例的な設計において、説明された複数の機能は、ハードウェア、ソフトウェア、またはこれらの任意の組み合わせにインプリメントされ得る。ソフトウェアにインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置デバイス、あるいは、命令またはデータ構造の形態で所望のプログラムコード手段を記憶または搬送するために使用されることができ、ならびに、汎用あるいは専用コンピュータ、または汎用あるいは専用プロセッサによってアクセスされることができる、任意の他の媒体を備えることができる。また、任意の接続は、コンピュータ可読媒体と厳密には称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技術を使用して送信される場合、同軸ケーブル、光ファイバーケーブル、ツイストペア、ＤＳＬ、あるいは赤外線、無線、およびマイクロ波のようなワイヤレス技術は媒体の定義に含まれる。本明細書に使用される、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ディスク（disk）は通常、磁気的にデータを再生するが、ディスク（disc）は、レーザーを用いて光学的にデータを再生する。上記の組み合わせもまた、コンピュータ可読媒体の範囲内に含まれるべきである。
【００６８】
[0073]  本開示の先の説明は、当業者が本開示を製造または使用することを可能にするために提供される。本開示に対する様々な修正は、当業者には容易に明らかであり、本明細書で定義された包括的な原理は、本開示の精神または範囲から逸脱せずに、他の変形物に適用され得る。よって、本開示は、本明細書に説明された例および設計に限定されるように意図されたものではなく、本明細書に開示された原理および新規の特徴と矛盾しない最大範囲であると認められるべきである。
以下に、本願出願の当初の特許請求の範囲に記載された発明を付記する。
［Ｃ１］
ワイヤレスデバイスによるワイヤレス通信のための方法であって、
基地局に送信されることになるデータのペイロードを取得するとことと、
少なくとも１つのアップリンク制御チャネルと伝送時間間隔（ＴＴＩ）の数とを選択することと、
前記数のＴＴＩにわたって前記少なくとも１つのアップリンク制御チャネルにおいて前記データのペイロードを伝達することと
を備え、ここで前記データのペイロードの異なる部分が異なるＴＴＩにおいて伝達される、方法。
［Ｃ２］
前記少なくとも１つのアップリンク制御チャネルが、物理アップリンク制御チャネル（ＰＵＣＣＨ）を備える、Ｃ１に記載の方法。
［Ｃ３］
異なるアップリンク制御チャネルフォーマットが、各ＴＴＩにおいて異なる数のビットを送信する、Ｃ２に記載の方法。
［Ｃ４］
複数のＴＴＩにわたって前記データのペイロードを伝達するための開始サブフレームを決定することをさらに備える、Ｃ２に記載の方法。
［Ｃ５］
前記決定が、無線リソース制御（ＲＲＣ）シグナリングに基づいて行われる、Ｃ４に記載の方法。
［Ｃ６］
前記決定が、前記基地局による動的スケジューリングに基づいて行われる、Ｃ４に記載の方法。
［Ｃ７］
前記ワイヤレスデバイスが、前記基地局からのランダムアクセスチャネル（ＲＡＣＨ）応答メッセージを受信することに基づいて、所与のＴＴＩにおいて前記ＰＵＣＣＨを送信すべきか否かを決定することをさらに備える、Ｃ４に記載の方法。
［Ｃ８］
前記少なくとも１つのアップリンク制御チャネルが、ランダムアクセスチャネル（ＲＡＣＨ）を備え、ここで情報の異なるビットが、異なる時間リソース、異なる周波数リソース、または異なるコード、のうちの少なくとも１つの使用によって伝達される、Ｃ１に記載の方法。
［Ｃ９］
セル内干渉ダイバーシティを提供するために、前記ワイヤレスデバイスが、第１の周波数ドメインホッピングパターンを割り当てられ、異なるワイヤレスデバイスが、第２の周波数ドメインホッピングパターンを割り当てられる、Ｃ１に記載の方法。
［Ｃ１０］
前記ワイヤレスデバイスが、他のワイヤレスデバイスからの送信が多重化されないリソースブロック（ＲＢ）を使用して、前記少なくとも１つのアップリンク制御チャネルを送信する、Ｃ１に記載の方法。
［Ｃ１１］
利得を提供するために、反復コード、リードソロモンコード、畳み込みコード、テールバイティング畳み込みコード、ターボコード、および低密度パリティ検査（ＬＤＰＣ）コード、のうちの少なくとも１つを前記データのペイロードに適用することをさらに備える、Ｃ１に記載の方法。
［Ｃ１２］
基地局によるワイヤレス通信のための方法であって、
ワイヤレスデバイスからデータのペイロードを受信することと、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理することと
を備える、方法。
［Ｃ１３］
前記少なくとも１つのアップリンク制御チャネルが、物理アップリンク制御チャネル（ＰＵＣＣＨ）を備える、Ｃ１２に記載の方法。
［Ｃ１４］
異なるアップリンク制御チャネルフォーマットが、各ＴＴＩにおいて異なる数のビットを送信する、Ｃ１２に記載の方法。
［Ｃ１５］
前記少なくとも１つのアップリンク制御チャネルのフォーマットが、前記ワイヤレスデバイスと前記基地局との間の経路損失に基づいて選択される、Ｃ１４に記載の方法。
［Ｃ１６］
前記少なくとも１つのアップリンク制御チャネルのフォーマットが、ターゲット信号対雑音比（ＳＮＲ）に基づいて選択される、Ｃ１４に記載の方法。
［Ｃ１７］
前記少なくとも１つのアップリンク制御チャネルのフォーマットが、前記ワイヤレスデバイスのリンクバジェットに基づいて選択される、Ｃ１４に記載の方法。
［Ｃ１８］
前記少なくとも１つのアップリンク制御チャネルのタイプが、同じアップリンク制御チャネル上で多重化される多数のワイヤレスデバイスに基づいて選択される、Ｃ１４に記載の方法。
［Ｃ１９］
伝達された前記データのペイロードが、決定された開始サブフレームにおいて開始する、Ｃ１２に記載の方法。
［Ｃ２０］
無線リソース制御（ＲＲＣ）シグナリングによって前記開始サブフレームを示すことをさらに備える、Ｃ１９に記載の方法。
［Ｃ２１］
前記ワイヤレスデバイスに前記開始サブフレームを動的にシグナリングすることをさらに備える、Ｃ１９に記載の方法。
［Ｃ２２］
ランダムアクセスチャネル（ＲＡＣＨ）応答メッセージによって前記開始サブフレームを示すことをさらに備える、Ｃ１９に記載の方法。
［Ｃ２３］
前記少なくとも１つのアップリンク制御チャネルが、ランダムアクセスチャネル（ＲＡＣＨ）を備え、ここで、情報の異なるビットが、異なる時間リソース、異なる周波数リソース、または異なるコード、のうちの少なくとも１つの使用によって伝達される、Ｃ１２に記載の方法。
［Ｃ２４］
前記少なくとも１つのアップリンク制御チャネルが、他のワイヤレスデバイスからの送信が多重化されないリソースブロック（ＲＢ）において受信される、Ｃ１２に記載の方法。
［Ｃ２５］
反復コード、リードソロモンコード、畳み込みコード、テールバイティング畳み込みコード、ターボコード、および低密度パリティ検査（ＬＤＰＣ）コード、のうちの少なくとも１つが、複数のＴＴＩにわたる前記データのペイロードの異なる部分の誤り保護のために使用される、Ｃ１２に記載の方法。
［Ｃ２６］
前記データのペイロードが、伝達されることになる前記データのペイロードのサイズ、前記基地局における干渉レベル、ターゲット待ち時間、または各ＴＴＩにおいて伝達される数、のうちの少なくとも１つに基づいて決定された数のＴＴＩにわたって伝達される、Ｃ１２に記載の方法。
［Ｃ２７］
前記ワイヤレスデバイスが、第１の周波数ドメインホッピングパターンを割り当てられ、ここで、前記方法が、第２の周波数ドメインホッピングパターンを割り当てられた異なるワイヤレスデバイスからのデータのペイロードを受信することをさらに備える、Ｃ１２に記載の方法。
［Ｃ２８］
ハードビットまたはソフト対数尤度比（ＬＬＲ）のうちの少なくとも１つを使用して各ＴＴＩを復号することをさらに備える、Ｃ１２に記載の方法。
［Ｃ２９］
ワイヤレスデバイスによるワイヤレス通信のための装置であって、
基地局に送信されることになるデータのペイロードを取得するための手段と、
少なくとも１つのアップリンク制御チャネルと伝送時間間隔（ＴＴＩ）の数とを選択するための手段と、
前記数のＴＴＩにわたって前記少なくとも１つのアップリンク制御チャネルにおいて前記データのペイロードを伝達するための手段と
を備え、前記データのペイロードの異なる部分が異なるＴＴＩにおいて伝達される、装置。
［Ｃ３０］
基地局によるワイヤレス通信のための装置であって、
ワイヤレスデバイスからデータのペイロードを受信するための手段と、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理するための手段と
を備える、装置。
【図１】
0006279594.tif 000002
【図２】
0006279594.tif 000003
【図３】
0006279594.tif 000004
【図４】
0006279594.tif 000005
【図５】
0006279594.tif 000006
【図６】
0006279594.tif 000007